(57)【要約】【課題】腰掛便器上面に枢着される便座は、主に樹脂材料で構成されているため、使用者が着座した際に冷たさやを感じることをてしまうのでヒーターを内蔵した暖房便座が用いられていたが、使用時に適温となるように、常にヒーターに通電しておく必要があり、省エネルギーの観点から問題があった。他方、ヒーターを内蔵した便座カバーも考案の場合は肉厚の薄いカバーを暖めるだけであるため、常に通電しておく必要は無いが、使用未使用の場合は取り外しが必要である。本発明は、便座カバーを便座と同じ感覚で使用でき省エネルギー性に優れた、暖房便座装置を提供する。【解決手段】腰掛便器上面に設けられ、ヒンジ係合部を介して回動自在に枢着した便座を有する便座装置において、ヒーターを内蔵した便座カバーを、便座上面に回動自在に枢着する。【選択図】　　図１
2004097373.tif 000002
【特許請求の範囲】
【請求項１】
腰掛便器上面に設けられ、ヒンジ係合部を介して回動自在に枢着した便座を有する便座装置において、ヒーターを内蔵した便座カバーを、前記便座上面に回動自在に枢着したことを特徴とする便座装置。
【請求項２】
前記便座カバーは、温度制御回路を内蔵していることを特徴とする請求項１記載の便座装置。
【請求項３】
前記便座カバーを複数枚設けたことを特徴とする請求項１乃至２記載の便座装置。
【請求項４】
前記便座カバーのヒンジ部が係合するヒンジ係合部が、便座および便蓋のヒンジ部と係合するヒンジ係合部と共通であることを特徴とする請求項１乃至３記載の便座装置。
【請求項５】
前記便座カバーのヒンジ部が係合するヒンジ係合部が、腰掛便器上面に取付られ内部に制御装置などを収納した本体ケースの、便座および便蓋のヒンジ部と係合するヒンジ係合部とは異なる部位に設けられていることを特徴とする請求項１乃至３記載の便座装置。
【請求項６】
前記便座カバーのヒンジ部は、前記便座の前後方向を軸として回動可能にしたことを特徴とする請求項１乃至５記載の便座装置。
【請求項７】
前記便座カバーは、前記ヒンジ部とカバー本体とが別体に形成されると共に前記ヒンジ部とカバー本体とが脱着自在であることを特徴とする請求項１記載の便座装置。
【請求項８】
前記ヒンジ部は、前記カバー本体よりも剛性の高い材質で形成されていることを特徴とする請求項７記載の便座装置。
【請求項９】
前記ヒンジ部は、前記ヒンジ係合部と同一の材質であることを特徴とする請求項７記載の便座装置。
【発明の詳細な説明】
【０００１】
【発明の属する技術分野】
本発明は、腰掛便器上面に設けられ、ヒンジ係合部を介して回動自在に枢着した便座を有する便座装置に関する。
【０００２】
【従来の技術及びその課題】
従来、図８に示す便座装置Ａにおいて、内部に制御装置や熱交換器や温風乾燥装置や洗浄ノズルなどを収納した本体ケース３に便座１や便蓋２が回動自在に枢着されている。便座１は大部分が合成樹脂で構成されているが、合成樹脂は皮膚と比較して熱伝導度が大きく、熱容量が小さい。したがって、冬期等環境温度が低い条件下で使用する場合、男性小用では問題無いが、男性大用及び女性の場合には、座面と皮膚の接触時に冷たさを感じるものであった。そのため、下記のような手段が提案された。
【０００３】
一つは、便座内部にコードヒーターのような発熱体を内蔵した暖房便座である（例えば、特許文献１を参照）。便座表面を内部から暖めることによって、皮膚接触時の冷たさを解消することができる。しかし、暖房便座では、便座自体の熱容量に対して発熱体の熱容量が小さいため、発熱体に通電してから便座の表面温度が適温に達するまでの時間、すなわち立ち上がり時間が数分程度かかり、使用時に発熱体に通電したのでは、使用に際して間に合わない。そこで、発熱体に常時通電して、便座の表面温度を適温に保つようにしている。ところが、便座に内蔵した発熱体に常時通電しておくことは省エネルギーの観点から問題である。
【０００４】
もう一つは、クッション性を有する便座カバー内に発熱体を設けたものである（例えば、特許文献２を参照）。薄いカバーを介して表面を加温するため熱効率が良く、便座上に載置されているため取付あるいは交換も容易である。しかし、環境温度が高い夏期等使用しない場合は、前記カバーを収納するスペースが必要になる。また、便座を立てて使用する男性小用の場合は使用毎にカバーの取り外し、取り付け作業が発生する。
【０００５】
本発明は、上記課題を解決するためになされたもので、本発明の目的は、省エネルギー性及び使い勝手の優れた、皮膚接触面暖房手段を備えた便座装置を提供することにある。
【０００６】
【特許文献１】
実開昭５６−１３５３００号公報
【特許文献２】
実開昭５９−１３４４９９号公報
【０００７】
【課題を解決するための手段】
上記課題を解決するために、本発明における便座装置は、腰掛便器上面に設けられ、ヒンジ係合部を介して回動自在に枢着した便座を有する便座装置において、ヒーターを内蔵した便座カバーを、前記便座上面に回動自在に枢着したことを特徴としている。
このように構成することにより、小さな消費電力で皮膚接触面を加温できるため、便座装置の省エネルギー化に有効である。カバーの材質として熱伝導率が低く熱容量の小さな材料を使用しておけば、厳冬期のみ発熱体に通電すれば良く、さらに望ましい。また、常に便座カバーが便座と同じように回動し開閉するため、便座と同じ感覚で使用することができる。使用しない場合は便蓋同様立てた状態で便座を使用することが可能である。さらに、本構成における便座はヒーターを内蔵していないため、取り外して丸洗いが可能となる。したがって、清潔性の維持が非常に容易となる。
【０００８】
前記便座カバーは、温度制御回路を内蔵していることが好ましく、このように構成することにより、一般便座のように制御部を有しない便座にも適用することが可能となる。
【０００９】
便座カバーを複数枚設けることが好ましく、このように構成することにより、便座カバーの使用、不使用だけでなく、目的に応じて便座カバーを使い分けることができる。例えば、同じ便座カバーを複数枚設けておれば、汚れた場合のスペアとして他の便座カバーを使用できるため清潔性が維持できる。使用者が複数いる場合には、個人専用の便座カバーとして用いることが出来、各人が不快感を抱くことが無い。更に、夏期用、冬期用として夫々の便座カバーを用意しておけば、年間を通して快適にトイレを使用できる。
【００１０】
また、ヒンジ係合部を、前記便座カバーのヒンジ部が係合するヒンジ係合部が、便座および便蓋のヒンジ部と係合するヒンジ係合部と共通であることが好ましく、このように構成することにより、常に便座カバーを便座と同じ感覚で使用することができる。
【００１１】
便座カバーのヒンジ部が係合するヒンジ係合部が、腰掛便器上面に取付られ内部に制御装置などを収納した本体ケースの、便座および便蓋のヒンジ部と係合するヒンジ係合部とは異なる部位に設けられていることが好ましく、このように構成することにより、便座および便蓋のヒンジ係合部周りの設計に無理を強いることが無く、便座カバーのヒンジ係合部を自由にレイアウトすることが可能となる。
【００１２】
更に、便座カバーのヒンジ部は、便座の前後方向を軸として回動可能にすることが好ましい。この様に構成すれば、便座および便蓋のヒンジ部と係合するヒンジ係合部に便座カバーを枢着している場合には、この便座カバーを重ねずに側方に跳ね上げておくことができため、床面から使用する便座カバーの着座面までの高さを低く抑えることができる。一方、本体ケース中央に１箇所形成したヒンジ係合部に便座カバーを枢着している場合には、裏表を使用することができる。裏と表で発熱体から皮膚接触面までの距離を異にしておくことにより、異なった表面温度を持つ便座カバーを提供することができる。
【００１３】
便座カバーを、ヒンジ部とカバー本体とに別体に形成し、ヒンジ部とカバー本体とを脱着自在にすれば一層好ましく、便座カバーが汚れたときには便座カバーのヒンジ部をヒンジ係合部から外さずに、カバー本体のみをヒンジ部から外し交換することで、清潔性の維持が更に容易になる。また、使用者それぞれが専用のカバー本体を所有し、使用時にカバー本体を各自ヒンジ係合部に取付けることもできる。さらに、種々の意匠性を賦与したカバー本体を品揃えすることによって、使用者がトイレを任意に演出することが可能となる。
【００１４】
ヒンジ部は、カバー本体よりも剛性の高い材質で形成することが好ましく、このように構成すると、ヒンジ部がヒンジ係合部と係合して互いに摺動しながら回動するにも拘わらずヒンジ部の耐久性が向上する。一方、カバー本体は剛性が低いので、人が着座した際、座り心地を損なわない。
【００１５】
ヒンジ部は、ヒンジ係合部と同一の材質にすれば、摺動による磨耗がヒンジ係合部とヒンジ部とで同じ速度で進むため、便座装置トータルでの耐久性能が向上し、好ましい。
【００１６】
【発明の実施の形態】
以上説明した本発明を一層明らかにするために、以下本発明の好適な実施例について説明すると、図１は発明に係る第１実施例を表す便座装置の斜視図、図２は同ヒンジ部とヒンジ係合部の断面図、図３は同便座カバーの断面図、図４はコードヒーター電力供給用端子の接続状態を示す半断面図、図５は本発明に係る第２実施例を表す便座カバーの断面図、図６は本発明に係る第３実施例を表す便座カバーの断面図、図７は本発明に係る第４実施例を表す便座装置の斜視図、図８は本発明に係る第５実施例を表す便座装置の斜視図、図９は同ヒンジ部とヒンジ係合部の断面図、図１０は本発明に係る更に別のヒンジ挿入部とヒンジ部とヒンジ係合部の構成を説明する組立図である。
【００１７】
図１に示す本発明の第１実施例を説明すると、便座装置Ａは、貯湯式の温水洗浄暖房便座であって、本体ケース３内部には、図示しない熱交換器や洗浄ノズル、電磁弁、温風装置、脱臭装置、制御装置等が内蔵されており、使用者は洗浄ノズルから吐水される温水を臀部に当てることにより、用便による汚れを洗い流すことが可能で、更に内部に温風乾燥装置を備えておれば、洗浄後の湿り気を除去し乾燥させることもできるものである。
【００１８】
便座１は暖房機能を備えない、一般便座である。したがって、電源コードが無いため、取り外して別の場所での清掃が可能である。さらに、充電部が存在しないため、水を用いた丸洗いもできる。便座１は、陶器と直接接触しており、便座装置Ａの中で、汚物の跳ね返り等により汚れやすい構成部品であるため、該機能は使用者にとって非常に有用な機能となりうる。
【００１９】
この便座装置Ａは図示しない腰掛便器の上面に便座１および本体ケース３の下面が接するように載置される。腰掛便器の上面には本体ケース３と係合する図示しないベースプレート固定用穴が２箇所穿設されており、図示しないゴムブッシュおよびボルトにより、ベースプレートは固定される。ベースプレートと本体ケース３との取付固定は、互いの爪部を嵌合させるワンタッチ取付形式を用いており、本体ケース３側方に配設されている解除ボタンを押下することにより嵌合部のロックを解除して、取り外すことができる。
【００２０】
本体ケース３には図２に示す様に、角軸状のヒンジ係合部５を設け、このヒンジ係合部５には緩閉止機構を内蔵したヒンジ部１ｂ、ヒンジ部２ｂを介して便座本体１ａ、便蓋本体２ａを回動自在に取付ると共に、便座カバー本体４ａが同様にヒンジ部４ｂを介してヒンジ係合部５に便座１と便蓋２の間に回動自在に取り付けられ、腰掛便器上面において便座１、便蓋２、便座カバー４が夫々回動可能とされている。
これらのヒンジ部は、ヒンジ部２ｂ、ヒンジ部４ｂ、ヒンジ部１ｂの順にヒンジ係合部５と同じポリプロピレンで一体的に構成されている。そして、ヒンジ係合部５の角軸部分にこれらヒンジ部２ｂ、４ｂ、１ｂを挿入し、ヒンジサポート６を用いてヒンジ係合部５を本体ケース３から抜けないように固定している。また、ヒンジ部１ｂ、２ｂ、４ｂの夫々の外周にはＤカットが施され、便座本体１ａのヒンジ挿入部１ｃ、便蓋本体２ａのヒンジ挿入部２ｃ、便座カバー本体４ａのヒンジ挿入部４ｃ内面はそれに合わせた形状となっているため、回動動作時に便座本体１ａとヒンジ部１ｂ、便蓋本体２ａとヒンジ部２ｂ、便座カバー本体４ａとヒンジ部４ｂとは、互いに滑ることが無い。
【００２１】
便座装置Ａは、洗剤等を使用して清掃されることが有るので、耐洗剤性が必要である。更に、使用者が便座１に着座して使用するので、一定の剛性も確保しなければならない。従って、便座１、便蓋２、本体ケース３の材質は、耐洗剤性に優れ、かつ高剛性であるブロックタイプのポリプロピレンを採用している。また、本体ケース３は一般に難燃グレードとなっている。ポリプロピレンは、元来軟らかい素材であるためキズがつき易く、質感の低下が早期に発生し易い。そこで、無機フィラーをブレンドする等の硬度を向上させる処方を施したグレードを用いる。
【００２２】
便座カバー本体４ａは、図３に示す様に上面が使用者の皮膚と接触し、下面が便座１上面に接する面であり、カバー全体としての剛性を確保し、断熱性を向上させるために、便座当接面側に硬質発泡材質製の基材４ｄを設けている。本実施例では、硬質発泡材質として、発泡ポリウレタン樹脂を使用し、その厚みを１〜３ｍｍにして便座１に対してのなじみ易さと剛性の両方を兼ね備えさせている。発泡樹脂は元来剛性が低いが、発泡ポリウレタン樹脂は、モノマーを選択することにより幅広い剛性の発泡体を製造でき、耐熱、耐油性も兼ね備える。さらに、連続気泡を有する発泡体となるため、触感の優れた緩衝材となるだけでなく、優れた断熱性を示す。もちろん発泡材質は発泡ポリウレタン樹脂に限られることは無く、発泡ポリスチレン樹脂、発泡ポリプロピレン樹脂、発泡ポリエチレン樹脂等、成形が可能な樹脂であればいずれも使用できる。
【００２３】
硬質発泡材質製の基材４ｄの上面には、コードヒーター４ｅを配設している。本実施例では、基材４ｄの上面に凹部を形成しておき、その中にコードを嵌め込んでいく手法でコードヒーターを配設した。さらに、便座カバー４表面が均一に暖められるように、熱伝導体４ｆでコードヒーター４ｅを覆う構成としている。もちろん、発熱体はコードヒーターに限るものではなく、面状発熱体でも良く、誘電加熱を利用した発熱体でも良い。図４に示すように、コードヒーター４ｅへの電力供給は、電力供給用コード７ａによって行っている。コードヒーター４ｅの端面がメス形状端子７ｂとなって便座カバー４のヒンジ部横に露出しており、電力供給用コード７ａのオス形状端子７ｃが挿入される。一方、本体ケース３にも同様のメス形状端子７ｂが形成されており、電力供給用コード７ａのオス形状端子７ｃが挿入される。便座カバー４側及び本体ケース３側いずれの端子も熱可塑性エラストマー製のシャッター７ｄが設けてあり、電力供給用コード７ａが挿入されない場合には閉じてシールを行う構造になっている。したがって、便座１と同様に便座カバー４も自由に取り外して清掃することが可能である。便座１及び便蓋２、便座カバー４全て自由に取り外しが可能であるため、本体ケース３のヒンジ周りの清掃も容易になる。本実施例では、電力供給用コードが本体ケース３及び便座カバー４のいずれからも脱着できる構成としたが、どちらか一方とのみ脱着する構成としても良いし、端子の形状も任意である。さらに、電磁誘導による電力供給でも良い。電磁誘導による電力供給の場合、充電部が全く露出しない構造にできるため、該部のシール性の観点からも好適である。
【００２４】
熱伝導体４ｆの上面、即ち人体当接面には、コードヒーター４ｅおよび熱伝導体４ｆへ小水などの汚水や汚れが浸透することを防ぐ目的として、樹脂シート層４ｇを設けている。本実施例では、樹脂シート層４ｇ材質として、母材樹脂の一部がシリコーン樹脂とグラフト重合したポリプロピレンシートを用いている。シリコーン樹脂をグラフトすることにより、樹脂シート層ｆの表面自由エネルギーが低下するため、付着した汚水の接触角が大きくなり、簡単な拭き掃除で除去が可能となる。従って汚れを除去するために強力な洗剤を使用する必要性が無く、ソルベントクラックを懸念しなくても良くなる。更にシリコーン樹脂は母材樹脂と結合しているので、単に混合した場合のように直ぐにブリードアウトせず、性能低下することが無く長期防汚性に優れた便座カバーを実現できる。更にまた、元来硬度が低くキズがつきやすいポリプロピレンシートを用いているにもかかわらず、荷重をかけて拭き掃除をする必要も無いため、好適である。尚、本実施例では真空成形時に樹脂シート層ｆにしわが生じないように樹脂シート層ｇの厚みを０．５ｍｍ以上としている。更に、本実施例では、特に耐洗剤性を考慮したため母材樹脂にポリプロピレンを使用したが、もちろんＡＢＳ樹脂等の高硬度樹脂を使用しても良い。この場合、耐薬品グレードを選択するのが好ましく、高硬度かつ耐洗剤性に優れたポリブチレンテレフタレートを使用すれば、耐洗剤性が良くさらに望ましい。
【００２５】
この便座装置Ａは、便座カバー４が便座１と同じようにヒンジ係合部で支承されて回動し開閉するので、便座１と同じ感覚で使用することができ、便座カバー４が便座１に対してずれることも無い。また、男性小用の場合や、高温期に便座カバー４を使用したくない場合において、便座カバー４を立てて、直接便座１に着座できる。
【００２６】
次に図５に示す第２実施例では、コードヒーター４ｅと樹脂シート層４ｇの間に、ゲル状物質層４ｈを設けている。そうすることにより、便座カバー４に断熱性と緩衝性を付与することができる。本実施例では、ゲル状物質として、水を５０％以上含有したゲル状ウレタン樹脂を使用している。この物質は、ウォーターベッドのように使用者の荷重を均一に支えるため、高齢者や障害者が使用する場合でも、安定した座面を提供できる。また、クッション性が非常に良好で、血行障害も起こりにくいため、長時間座っている場合でも座面の硬さを感じることが無い。尚、厚さが１ｍｍ以下ではクッション性に乏しく、２０ｍｍ以上にするとクッション性が有りすぎて、着座したときの安定性が悪くなるだけでなく、便座カバー４を昇温するコードヒーター４ｅの消費電力が大きくなってしまう。又、ゲル状ウレタン樹脂として、常温で液状の形態とすることが可能なウレタンプレポリマーを用いている。これにより、水及び必要に応じて低分子量親水性化合物を主成分とする液状物と、ウレタンプレポリマーに分けることにより、２液反応タイプの樹脂と同様の使用方法で、均一なゲル状物質を得ることが出来、ハンドリングに優れ、便座カバーの成形が容易になる。
【００２７】
次に図６に示す第３実施例について説明すると、この実施例では内周のみにコードヒーター４ｅを配設し、内周の熱を熱伝導体４ｆで便座カバー４表面及び外周へ伝熱させて暖める構成としている。太ももの内側が接する箇所は敏感に温度を感じ取るため、充分な暖房が必要であるが、外周は皮膚と接触する割合が小さく、かつ接しても温度に対して鈍感な部位であるため、使用感が悪くなることは無い。このような構成とすることにより、コードヒーターの４ｅの長さを短くすることができるため、消費電力が小さくなり、省エネルギーに有効である。
【００２８】
次に図７に示す第４実施例について説明すると、２枚の便座カバー４、４が便座１、便蓋２と同じヒンジ係合部を介して、便座１と便蓋２の間に回動自在に配設されている。ここで、下側の便座カバー４右側のヒンジ係合部、上側便座カバー４は左側のヒンジ係合部に夫々１箇所ずつ係合している。更に、便座カバー４のヒンジ部は、便座１の開閉方向に回動可能とすると共に便座１の開閉方向を軸として回動可能な構造としている。
【００２９】
なお、本実施例では、便座カバー４、４は同じ材質としており、この様にすることで、一方の便座カバーが汚れた場合には、他の便座カバーをスペアとして使用でき、清潔性が維持できる。又、複数の便座カバーを設けているので、使用者が複数いる場合には、樹脂シート層４ｇの色や模様、或いは便座カバー全体の大きさを変えるなどして区別可能にし、個人専用の便座カバーとして用いれば、各人が不快感を抱くことも無い。更に、一方の便座カバー４を、発熱体を内蔵しない夏期用とし、他方の便座カバー４を、その樹脂シート層４ｇの樹脂として気孔率の高い発泡性樹脂を用い、極力薄肉化して着座時の冷たさを回避すると供に、発熱体を使用した際の暖房効率を考慮した冬期用とする等の方法採用することで、年間を通して快適にトイレを使用できる。
【００３０】
又、本実施例では、便座カバー４、４は１枚当たり１箇所のヒンジ係合部を使用しているので、ヒンジ部周辺の長さが長くならず、便蓋３の横幅が短くて済むうえ、ヒンジ係合部の設計自由度が大きくなる。
【００３１】
次に図８に示す第５実施例について説明すると、本実施例では、便座カバー４が、本体ケース３の中央に１箇所形成されたヒンジ係合部４ｄを介して、便座１と便蓋２の間に回動自在に配設されている。一方、便座１、便蓋２とは本体ケース３の左右両側に形成された別のヒンジ係合部を介して回動自在に配設されている。
【００３２】
また、便座カバー４にはヒンジ挿入部４ｃを設けて、ヒンジ部４ｂに挿入する構成としており、便座カバー４は容易にヒンジ部４ｂから取り外すことを可能にしている。本実施例では、ヒンジ部４ｂは本体ケース３と同じ材質であるポリプロピレンを用いている。
【００３３】
図９に示すようにヒンジ部４ｂの一端は球状部４ｂ−１となっており、本体ケース３に形成されたヒンジ係合部５ａ、５ｂの中に収納され、多端はヒンジ挿入部４ｃに脱着可能としている。従って、便座カバー４は便座１の開閉方向は勿論、開閉方向の半径方向を軸として回動動作をすることができ、しかもヒンジ係合部５が本体ケース３の中央に設けられているので、便座シート４は表裏回転可能となっている。
【００３４】
本発明は上述の実施例に限定されること無く種々の変形が可能である。
例えば、便座カバー４のヒンジ挿入部４ｃ、ヒンジ部４ｂ、ヒンジ係合部５の構成はこれだけにとどまらず、例えば図１０に示す様に、ヒンジ部４ｂとヒンジ挿入部４ｃを別体に形成しこれらも脱着可能にしても良い。
【００３５】
便座カバー形状は実施例の図面では便座と略同じ形状であるが、便座カバー形状を馬蹄形のいわゆる前割れ便座形状にしても良く、少なくとも着座時に肌が触れる形状であれば良い。又、回動自在な便座カバーを薄板の合成樹脂板とし、この合成樹脂板に例えば繊維を編んだ表面シートを被せるようにしても良い。
【００３６】
実施例では便座装置として便蓋付きの温水洗浄暖房便座の例を説明したが、便蓋をヒンジ係合部から外して、代わりに便座カバーをこのヒンジ係合部に取り付けても良い。勿論、本発明は通常の便座と便蓋からなる便座装置にも適用でき、便座と便蓋の間に便座カバーを回動自在に取り付けても良い。また、便蓋をヒンジ係合部から外して、代わりに便座カバーをこのヒンジ係合部に取り付けても良い。
【図面の簡単な説明】
【図１】本発明に係る第１実施例を表す便座装置の斜視図である。
【図２】同ヒンジ部とヒンジ係合部の断面図である。
【図３】同便座カバーの断面図である。
【図４】コードヒーター電力供給用端子の接続状態を示す半断面図である。
【図５】本発明に係る第２実施例を表す便座装置の斜視図である。
【図６】本発明に係る第３実施例を表す便座装置の斜視図である。
【図７】本発明に係る第４実施例を表す便座装置の斜視図である。
【図８】本発明に係る第５実施例を表す便座装置の斜視図である。
【図９】同ヒンジ部とヒンジ係合部の断面図である。
【図１０】本発明に係る更に別のヒンジ挿入部とヒンジ部とヒンジ係合部の構成を説明する組立図である。
【図１１】従来の便座装置の斜視図である。
【符号の説明】
Ａ…便座装置
１…便座、１ａ…便座本体、１ｂ…ヒンジ部、１ｃ…ヒンジ挿入部
２…便蓋、２ａ…便蓋本体、２ｂ…ヒンジ部、２ｃ…ヒンジ挿入部
３…本体ケース、３ａ…ヒンジ収納部、３ｂ…ヒンジ収納部
４…便座カバー、４ａ…便座カバー本体、４ｂ…ヒンジ部
４ｂ−１…ヒンジ球状部、４ｃ…ヒンジ挿入部、４ｄ…硬質発泡材質基材
４ｅ…コードヒーター、４ｆ…熱伝導体、４ｇ…樹脂シート層
４ｈ…ゲル状物質層
５、５ａ、５ｂ…ヒンジ係合部
６…ヒンジサポート
７ａ…電力供給用コード、７ｂ…メス形状端子、７ｃ…オス形状端子
７ｄ…シャッター
【図１】
2004097373.tif 000003
【図２】
2004097373.tif 000004
【図３】
2004097373.tif 000005
【図４】
2004097373.tif 000006
【図５】
2004097373.tif 000007
【図６】
2004097373.tif 000008
【図７】
2004097373.tif 000009
【図８】
2004097373.tif 000010
【図９】
2004097373.tif 000011
【図１０】
2004097373.tif 000012
【図１１】
2004097373.tif 000013